(57)【特許請求の範囲】
【請求項１】
複数測定チャネルの測定信号の変化状態を連続的な線分によりグラフ的な波形として表示する波形表示装置において、
表示すべき全測定チャネルの波形の一部が分割されたいずれかの表示領域で単独表示されるように、表示部の波形表示領域全体を縦方向および横方向に沿って複数の表示領域に分割する手段と、
測定チャネルの波形の一部が単独表示される表示領域に、その測定チャネルの波形属性情報を描画表示する手段、
を設けたことを特徴とする波形表示装置。
【請求項２】
前記波形属性情報は、少なくともチャネル番号とタグ名のいずれかであることを特徴とする請求項１記載の波形表示装置。
【請求項３】
前記波形表示装置は、２次元表示器を記録紙に見立てたペーパーレスレコーダであることを特徴とする請求項１または請求項２記載の波形表示装置。
【請求項４】
前記波形表示装置は、デジタルオシロスコープであることを特徴とする請求項１または請求項２記載の波形表示装置。
【請求項５】
前記波形属性情報の描画位置は、測定チャネル描画波形が分割領域の四辺と接する２点間を結ぶ直線の中点と分割領域の中央とを結ぶ直線上であることを特徴とする請求項１から請求項４のいずれかに記載の波形表示装置。
【発明の詳細な説明】
【技術分野】
【０００１】
本発明は、波形表示装置に関し、詳しくは、複数測定チャネルの測定信号の変化状態を連続的な線分によりグラフ的な波形として表示する装置における各測定チャネルの波形属性情報表示の改良に関するものである。
【背景技術】
【０００２】
波形表示装置の一種に、液晶表示装置やプラズマ表示装置などの２次元表示器を記録紙に見立てた特許文献１に示すようなペーパーレスレコーダがある。ペーパーレスレコーダでは、温度、圧力、流量などの各種物理量をそれぞれの測定対象に適合するセンサで電気信号に変換し、これら変換された電気信号の測定時間の経過に伴う変化の状態を、複数チャネルの連続的な線分によりグラフ的な波形として２次元表示器に表示するように構成されている。
【０００３】
図５は、このような従来のペーパーレスレコーダにおける表示画面例図である。図５において、連続的な線分Ｌ１〜Ｌ３は、複数チャネルＣＨ１〜ＣＨ３の測定信号の変化状態を、あらかじめ割り当てられた所定の表示色でグラフ的な波形として表すものである。測定状態における表示画面の時間軸は、矢印Ａで示すように、左から右に向かってスクロールする。
【０００４】
ポインタＰ１〜Ｐ３は、各チャネルＣＨ１〜ＣＨ３の測定信号の現在値を示すものであり、各チャネルＣＨ１〜ＣＨ３の測定信号波形の表示色と同色であって、それぞれに割り当てられたチャネル番号が付けられている。これらポインタＰ１〜Ｐ３は、画面上で各測定値の変化に連動して振幅Ｘ軸方向に移動する。
【０００５】
スケールＳＬ１〜ＳＬ３は、各チャネルＣＨ１〜ＣＨ３の測定信号の測定範囲0〜100％に対応するスケール値を物理量単位とともに示すものであり、各チャネルＣＨ１〜ＣＨ３の測定信号波形の表示色と同色が割り当てられている。
【０００６】
このような構成において、測定作業者が複数チャネルＣＨ１〜ＣＨ３の中から自分が注目する所定のチャネルの線分Ｌ１〜Ｌ３を見分けるのにあたっては、ポインタＰ１〜Ｐ３またはスケールＳＬ１〜ＳＬ３の表示色を手がかりとするのが一般的である。
【０００７】
【特許文献１】特開平１０−２５３４０１
【発明の開示】
【発明が解決しようとする課題】
【０００８】
しかし、ポインタによる波形識別は、複数のポインタが重なって表示されると、チャネル番号が付けられているとはいうものの、個別のポインタ識別が困難になる。
【０００９】
また、スケールによる波形識別は、表示すべきチャネル数が多くなるとスケール表示自体の識別も困難になる。
【００１０】
本発明は、このような従来の問題点に着目したものであり、その目的は、測定作業者が表示画面上に表示される複数測定チャネルの波形の中から自分が注目する所定チャネルの波形を的確に識別できる波形表示装置を提供することにある。
【課題を解決するための手段】
【００１１】
このような課題を達成するために、請求項１の発明は、
複数測定チャネルの測定信号の変化状態を連続的な線分によりグラフ的な波形として表示する波形表示装置において、
表示すべき全測定チャネルの波形の一部が分割されたいずれかの表示領域で単独表示されるように、表示部の波形表示領域全体を縦方向および横方向に沿って複数の表示領域に分割する手段と、
測定チャネルの波形の一部が単独表示される表示領域に、その測定チャネルの波形属性情報を描画表示する手段、
を設けたことを特徴とする。
【００１２】
請求項２の発明は、請求項１記載の波形表示装置において、
前記波形属性情報は、少なくともチャネル番号とタグ名のいずれかであることを特徴とする。
【００１３】
請求項３の発明は、請求項１または請求項２記載の波形表示装置において、
前記波形表示装置は、２次元表示器を記録紙に見立てたペーパーレスレコーダであることを特徴とする。
【００１４】
請求項４の発明は、請求項１または請求項２記載の波形表示装置において、
前記波形表示装置は、デジタルオシロスコープであることを特徴とする。
【００１５】
請求項５の発明は、請求項１から請求項４のいずれかに記載の波形表示装置において、
前記波形属性情報の描画位置は、測定チャネル描画波形が分割領域の四辺と接する２点間を結ぶ直線の中点と分割領域の中央とを結ぶ直線上であることを特徴とする。
【発明の効果】
【００１６】
これらにより、測定作業者が表示画面上に表示される複数測定チャネルの波形の中から自分が注目する所定チャネルの波形を的確に識別できる波形表示装置が実現できる。
【発明を実施するための最良の形態】
【００１７】
以下、本発明について、図面を用いて説明する。図１は本発明の実施例の主要部を示すブロック図である。図１において、表示領域分割設定部１は、表示部の波形表示領域全体を縦方向にｍ分割し横方向にｎ分割するように、表示領域分割部２に初期分割数を設定入力する。なお、初期分割数は、表示波形のチャネル数および波形属性情報の描画に必要とする面積に基づいて、決定する。
【００１８】
分割領域走査部３は、表示領域分割部２により分割されたすべての領域を、表示波形を検知可能な分解能で所定の方向(例えば表示画面左上隅の分割領域の上辺から左辺に向かう走査を表示画面右下隅の分割領域に向かう対角線方向)に順次繰り返して走査する。
【００１９】
分割領域内波形検知部４は、分割領域走査部３の走査結果に基づいてどの分割領域内にどの測定チャネルの波形が表示されているのかを検知するとともに、全ての測定チャネルについて単独で波形が表示されている分割領域を持っているか否かを検知する。ある測定チャネルについて単独で波形が表示されている分割領域が複数存在する場合には、例えば走査方向に沿って最初に検知された分割領域をその測定チャネルの波形属性描画領域とする。
【００２０】
波形属性描画部５は、分割領域内波形検知部４で検知選択された波形属性描画領域に、波形属性情報格納部６に格納されている各チャネルのチャネル番号やタグ名などの波形属性情報を描画する。
【００２１】
分割領域内波形検知部４は、いずれかの測定チャネルについて単独で波形が表示されている分割領域を検知できない場合には、表示領域分割設定部１に対して分割数を増やすように指示する。
【００２２】
描画領域面積検知部７は、表示領域分割設定部１の制御により表示領域分割部２で変更分割される各領域の面積が、波形属性情報格納部６に格納されている各チャネルのチャネル番号やタグ名などの波形属性情報を描画した場合に識別可能な広さになるか否かを判断する。分割された描画領域の面積として識別可能な広さが確保できている場合には波形属性情報の描画を実行し、識別可能な広さが確保できない場合には表示領域分割設定部１および波形属性描画部５にその旨を通知してそれぞれの処理を中止する。
【００２３】
図２は図１の動作を説明する表示画面例図である。図２の例では、３つの測定チャネルＣＨ１〜ＣＨ３の波形を表示する表示画面を縦方向にＡ〜Ｃに３分割するとともに、横方向も１〜３に３分割している。分割領域走査部３は、表示画面左上隅の分割領域Ａ１の上辺から左辺に向かう走査を、表示画面右下隅の分割領域Ｃ３に向かう対角線方向に行っている。
【００２４】
ここで、走査方向に従って各測定チャネルの波形が単独で表示されている分割領域は、測定チャネルＣＨ１についてはＡ２とＡ３の２つ存在し、測定チャネルＣＨ２についてはＢ３のみであり、測定チャネルＣＨ３についてはＣ２とＣ３の２つ存在する。そこで、波形属性描画部５は、測定チャネルＣＨ１の波形については分割領域Ａ２の中央位置にチャネル番号「ＣＨ１」を描画し、測定チャネルＣＨ２の波形については分割領域Ｂ３の中央位置にチャネル番号「ＣＨ２」を描画し、測定チャネルＣＨ３の波形については分割領域Ｃ２の中央位置にチャネル番号「ＣＨ３」を描画する。
【００２５】
なお、図２の表示例では波形属性情報の描画位置を波形描画位置とは関係なく一義的に各分割領域の中央としているが、図３に示すように各分割領域における波形描画位置に応じて波形属性情報の描画位置を調整することにより視認性を改善できる。図３では、各測定チャネルの波形が単独で表示されている分割領域において、まず測定チャネル描画波形が分割領域の四辺と接する２点間を結ぶ直線ＬＡを求める。次にこの直線ＬＡの中点と分割領域の中央とを結ぶ直線ＬＢを求める。そして、この直線ＬＢ上にチャネル番号やタグなどの波形属性情報の描画を行う。これにより、隣接する分割領域に他のチャネルの波形属性情報を描画する場合においても十分な視認性を確保できる。
【００２６】
図４は図２の表示処理の流れの処理を説明するフローチャートである。はじめに、表示領域分割設定部１により、表示領域分割部２に対して、表示する測定チャネル数に応じた初期分割数を設定する（ＳＰ１）。
【００２７】
分割領域走査部３は、表示領域分割部２により分割されたすべての領域を、表示波形を検知可能な分解能で所定の方向(例えば表示画面左上隅の分割領域の上辺から左辺に向かう走査を表示画面右下隅の分割領域に向かう対角線方向)に順次繰り返して走査する（ＳＰ２）。
【００２８】
分割領域内波形検知部４は、分割領域走査部３の走査結果に基づきどの分割領域内にどの測定チャネルの波形が表示されているのかを検知するとともに、全ての測定チャネルについて単独で波形が表示されている分割領域を持っているか否かを検知する（ＳＰ３）。ここで、ある測定チャネルについて単独で波形が表示されている分割領域が複数存在する場合には、例えば走査方向に沿って最初に検知された分割領域をその測定チャネルの波形属性描画領域とする。
【００２９】
波形属性描画部５は、分割領域内波形検知部４で検知選択された波形属性描画領域に、波形属性情報格納部６に格納されている各チャネルのチャネル番号やタグ名などの波形属性情報を描画する（ＳＰ４）。
【００３０】
また分割領域内波形検知部４は、いずれかの測定チャネルについて単独で波形が表示されている分割領域を検知できない場合には、表示領域分割設定部１に対して分割数を増やすように指示する（ＳＰ５）。
【００３１】
描画領域面積検知部７は、表示領域分割設定部１の制御により表示領域分割部２で変更分割される各領域の面積が、波形属性情報格納部６に格納されている各チャネルのチャネル番号やタグ名などの波形属性情報を描画した場合に識別可能な広さになるか否かを判断する（ＳＰ６）。
【００３２】
そして、分割された描画領域の面積として識別可能な広さが確保できている場合には波形属性情報の描画を実行し、識別可能な広さが確保できない場合には表示領域分割設定部１および波形属性描画部５にその旨を通知してそれぞれの処理を中止する（ＳＰ７）。
【００３３】
なお、上記実施例では、ペーパーレスレコーダの例について説明したが、デジタルオシロスコープにも適用できる。
【００３４】
また、波形属性情報はチャネル番号やタグ名などに限るものではなく、必要に応じてその波形測定に関連する測定条件などであってもよい。
【００３５】
以上説明したように、本発明によれば、波形属性情報の識別性の高い波形表示装置が実現でき、各種の波形測定に好適である。
【図面の簡単な説明】
【００３６】
【図１】本発明の実施例の主要部を示すブロック図である。
【図２】図１の動作を説明する表示画面例図である。
【図３】波形属性情報の描画位置調整説明図である。
【図４】図２の表示処理の流れの処理を説明するフローチャートである。
【図５】従来のペーパーレスレコーダにおける表示画面例図である。
【符号の説明】
【００３７】
１  表示領域分割設定部
２  表示領域分割部
３  分割領域走査部
４  分割領域内波形検知部
５  波形属性描画部
６  波形属性情報格納部
７  描画領域面積検知部
【図１】
0004743519.tif 000002
【図２】
0004743519.tif 000003
【図３】
0004743519.tif 000004
【図４】
0004743519.tif 000005
【図５】
0004743519.tif 000006